(57)【特許請求の範囲】
【請求項１】
信号コンタクト導体と、複数のグランドコンタクト導体と、前記信号コンタクト導体と前記複数のグランドコンタクト導体との間を絶縁する絶縁ハウジングとを備え、相手方のコネクタと嵌合可能に構成されると共に、配線基板に実装される同軸コネクタであって、
前記絶縁ハウジングは、
実装時に前記配線基板と向かい合う第１の主面と、実装時に前記配線基板とは反対側を向く第２の主面とを含むベース部と、
前記第２の主面側において前記ベース部から立設されており、前記信号コンタクト導体を内部に収容する収容孔が設けられた筒部と、
前記第２の主面側において前記ベース部から立設されており、前記複数のグランドコンタクト導体を保持する壁部とを有し、
前記複数のグランドコンタクト導体はそれぞれ、
前記収容孔の延在方向から見て円弧状に湾曲された板状体である本体部と、
前記本体部の周方向における一端から延びると共に前記本体部の湾曲方向に対して交差する方向に前記本体部に対して屈曲している第１のアーム部と、
前記本体部の周方向における他端から延びると共に前記本体部の湾曲方向に対して交差する方向に前記本体部に対して屈曲している第２のアーム部と、
前記第１のアーム部における前記第１の主面側の縁部から延びる第１の端子部と、
前記第２のアーム部における前記第１の主面側の縁部から延びる第２の端子部とを有し、
前記複数のグランドコンタクト導体の前記本体部は、全体として前記筒部を部分的に囲む円筒状体を構成するように並んでおり、
前記壁部の周面には複数の被係止部が設けられており、
前記第１及び第２のアーム部はそれぞれ、前記壁部の前記周面に沿って延びており、
前記第１及び第２のアーム部にはそれぞれ、前記複数の被係止部のうち対応する一の前記被係止部と係止可能に構成された係止部が設けられており、
前記係止部は前記被係止部が設けられている前記周面と対向している、同軸コネクタ。
【請求項２】
前記被係止部は前記絶縁ハウジングの高さ方向に直線状に延びる凹溝であり、
前記係止部は前記絶縁ハウジングの高さ方向に直線状に延びる突条である、請求項１に記載の同軸コネクタ。
【請求項３】
前記第１及び第２のアーム部はそれぞれ、その延在方向において屈曲している、請求項１又は２に記載の同軸コネクタ。
【請求項４】
前記第１及び第２のアーム部はそれぞれ、前記壁部の周面に沿って延びるように屈曲している、請求項３に記載の同軸コネクタ。
【請求項５】
前記第１の端子部は、前記収容孔の延在方向から見て前記絶縁ハウジングと重なり合うように前記第１のアーム部に対して屈曲しており、
前記第２の端子部は、前記収容孔の延在方向から見て前記絶縁ハウジングと重なり合うように前記第２のアーム部に対して屈曲している、請求項１〜４のいずれか一項に記載の同軸コネクタ。
【請求項６】
前記第１の端子部は、前記収容孔の延在方向から見て前記絶縁ハウジングと重なり合わないように前記第１のアーム部に対して屈曲しており、
前記第２の端子部は、前記収容孔の延在方向から見て前記絶縁ハウジングと重なり合わないように前記第２のアーム部に対して屈曲している、請求項１〜４いずれか一項に記載の同軸コネクタ。
【請求項７】
前記複数のグランドコンタクト導体は２つであり、
前記収容孔の延在方向から見て、前記各本体部のうち隣り合う一対の端と前記円筒状体の中心軸とで構成される扇形の中心角が９０°以下である、請求項１〜６のいずれか一項に記載の同軸コネクタ。
【発明の詳細な説明】
【技術分野】
【０００１】
本開示は、各種の配線が形成された配線基板（例えば、リジッド基板、フレキシブルプリント基板、リジッドフレキシブル基板等のプリント基板）上に実装される同軸コネクタに関する。
【背景技術】
【０００２】
特許文献１は、表面実装型（ＳＭＴ：Surface Mount Technology）の同軸コネクタ装置を開示している。当該同軸コネクタ装置は、配線基板上に配置された絶縁ハウジングと、絶縁ハウジングに取り付けられた信号コンタクト導体及びグランドコンタクト導体とを備える。
【０００３】
信号コンタクト導体は、相手方コネクタ（リセプタクルコネクタ）の信号コンタクト導体に対して弾性的に嵌着する接続片と、接続片から延びる端子片とを有する。グランドコンタクト導体は、信号コンタクト導体の接続片を取り囲む円筒状の本体と、配線基板上の配線と接続される実装端子と、本体及び実装端子を接続するアームとを有する。アームは、本体の上端縁（本体の端縁のうち配線基板とは離れた側の端縁）から実装端子に向けて延びており、Ｊ字形状を呈している。
【０００４】
アームの一端は、実装端子を介して配線基板に対して固定されているので、固定端である。そのため、相手方コネクタのグランドコンタクト導体が本体部内に挿入されて、本体部が周方向外方に押し拡げられても、その反力が配線基板からアームを介して本体部に伝わり、元の形状に戻ろうとする。すなわち、アームは、本体部に対して弾性力を付与する機能を有している。そのため、同軸コネクタ装置が小型化しても、十分な挿抜力を確保することができる。
【先行技術文献】
【特許文献】
【０００５】
【特許文献１】特開２００９−１４０６８７号公報
【発明の概要】
【発明が解決しようとする課題】
【０００６】
近年、携帯電話等の小型端末の更なる小型化が進んでいる。そのため、小型端末の厚みも薄型化されており、同軸コネクタも更なる低背化が求められている。具体的には、同軸コネクタ装置と相手方コネクタとの嵌合後の高さが１ｍｍ以下のものも出現してきている。
【０００７】
ところが、特許文献１の同軸コネクタ装置では、アームが、Ｊ字形状を呈し上側に凸となるように湾曲しており、本体の上端縁から延びている。そのため、アームの湾曲部分の存在により同軸コネクタ装置の全高が高くなる傾向にあった。
【０００８】
そこで、本開示は、十分な挿抜力を確保しつつさらなる低背化を図ることが可能な同軸コネクタを説明する。
【課題を解決するための手段】
【０００９】
［１］本開示の一つの観点に係る同軸コネクタは、信号コンタクト導体と、複数のグランドコンタクト導体と、信号コンタクト導体と複数のグランドコンタクト導体との間を絶縁する絶縁ハウジングとを備え、相手方のコネクタと嵌合可能に構成されると共に、配線基板に実装される同軸コネクタである。絶縁ハウジングは、実装時に配線基板と向かい合う第１の主面と、実装時に配線基板とは反対側を向く第２の主面とを含むベース部と、第２の主面側においてベース部から立設されており、信号コンタクト導体を内部に収容する収容孔が設けられた筒部と、第２の主面側においてベース部から立設されており、複数のグランドコンタクト導体を保持する壁部とを有する。複数のグランドコンタクト導体はそれぞれ、収容孔の延在方向から見て円弧状に湾曲された板状体である本体部と、本体部の周方向における一端から延びると共に本体部の湾曲方向に対して交差する方向に本体部に対して屈曲している第１のアーム部と、本体部の周方向における他端から延びると共に本体部の湾曲方向に対して交差する方向に本体部に対して屈曲している第２のアーム部と、第１のアーム部における第１の主面側の縁部から延びる第１の端子部と、第２のアーム部における第１の主面側の縁部から延びる第２の端子部とを有する。複数のグランドコンタクト導体の本体部は、全体として筒部を囲む円筒状体を部分的に構成するように並んでいる。
【００１０】
本開示の一つの観点に係る同軸コネクタでは、第１のアーム部は、本体部の周方向における一端から延びると共に、本体部の湾曲方向に対して交差する方向に本体部に対して屈曲している。第２のアーム部は、本体部の周方向における他端から延びると共に、本体部の湾曲方向に対して交差する方向に本体部に対して屈曲している。第１の端子部は、第１のアーム部における第１の主面側の縁部から延びている。第２の端子部は、第２のアーム部における第１の主面側の縁部から延びている。このように、本開示の一つの観点に係る同軸コネクタでは、第１及び第２の端子部はそれぞれ、同軸コネクタに相手方のコネクタが嵌合したときに応力が作用しやすい本体部ではなく、第１及び第２のアーム部に設けられている。そのため、本体部が端子部によって配線基板に固定されないので、応力が作用したときに本体部の動きが規制され難い。換言すれば、本体部が配線基板に固定された端子部から第１及び第２のアームの長さ分だけ離れているので、第１及び第２のアームがバネとして機能し、本体部が弾性を発揮しやすくなっている。従って、本開示の一つの観点に係る同軸コネクタでは、十分な挿抜力が確保される。また、本開示の一つの観点に係る同軸コネクタでは、第１及び第２のアーム部はそれぞれ、本体部の周方向における一端及び他端から延びている。すなわち、第１及び第２のアーム部は、特許文献１に記載の同軸コネクタ装置とは異なり、収容孔の延在方向に凸となるように湾曲していない。そのため、同軸コネクタの全高が高くなり難い。従って、本開示の一つの観点に係る同軸コネクタでは、低背化が図られる。以上より、本開示の一つの観点に係る同軸コネクタによれば、十分な挿抜力を確保しつつさらなる低背化を図ることが可能となる。
【００１１】
［２］上記第１項に記載の同軸コネクタにおいて、第１及び第２のアーム部はそれぞれ、その延在方向において屈曲していてもよい。この場合、第１及び第２のアーム部が直線状に延びるときと比較して、第１及び第２のアーム部が絶縁ハウジングの外方に拡がるのを防ぎつつ、第１及び第２のアーム部の長さが確保される。そのため、十分な挿抜力を確保しつつ同軸コネクタの小型化を図ることが可能となる。
【００１２】
［３］上記第２項に記載の同軸コネクタにおいて、第１及び第２のアーム部はそれぞれ、壁部の周面に沿って延びるように屈曲していてもよい。この場合、第１及び第２のアーム部が直線状に外方に延びるときと比較して、第１及び第２のアーム部が絶縁ハウジングの外方に拡がるのをいっそう防ぎつつ、第１及び第２のアーム部の長さが確保される。そのため、十分な挿抜力を確保しつつ同軸コネクタのさらなる小型化を図ることが可能となる。
【００１３】
［４］上記第１〜３項のいずれか一項に記載の同軸コネクタにおいて、第１の端子部は、収容孔の延在方向から見て絶縁ハウジングと重なり合うように第１のアーム部に対して屈曲しており、第２の端子部は、収容孔の延在方向から見て絶縁ハウジングと重なり合うように第２のアーム部に対して屈曲していてもよい。この場合、第１及び第２の端子部が絶縁ハウジングの外方に拡がらないので、同軸コネクタのさらなる小型化を図ることが可能となる。
【００１４】
［５］上記第１〜３項のいずれか一項に記載の同軸コネクタにおいて、第１の端子部は、収容孔の延在方向から見て絶縁ハウジングと重なり合わないように第１のアーム部に対して屈曲しており、第２の端子部は、収容孔の延在方向から見て絶縁ハウジングと重なり合わないように第２のアーム部に対して屈曲していてもよい。この場合、第１及び第２の端子部が収容孔の延在方向から見て絶縁ハウジングと重なり合っていないので、当該延在方向から見たときに第１及び第２の端子部が絶縁ハウジングの外方に拡がっている。そのため、同軸コネクタを配線基板に実装する際に、第１及び第２の端子部を、配線基板の端子電極に対して目視にて位置決めしやすくなる。
【００１５】
［６］上記第１〜５項のいずれか一項に記載の同軸コネクタにおいて、複数のグランドコンタクト導体は２つであり、収容孔の延在方向から見て、各本体部のうち隣り合う一対の端と円筒状体の中心軸とで構成される扇形の中心角が９０°以下であってもよい。この場合、グランドコンタクト導体を２つしか用いていなくても、本体部と相手方コネクタのグランドコンタクト導体との接触面積が十分に確保される。そのため、少ない部品点数により、十分な挿抜力を確保できる。
【００１６】
［７］上記第１〜６項のいずれか一項に記載の同軸コネクタにおいて、壁部の周面には、複数の被係止部が設けられており、第１及び第２のアーム部にはそれぞれ、複数の被係止部のうち対応する一の被係止部と係止可能に構成された係止部が設けられていてもよい。この場合、壁部の被係止部にアーム部の係止部が係止されることで、アーム部を絶縁ハウジングに対して位置決めすることができる。
【発明の効果】
【００１７】
本開示に係る同軸コネクタによれば、十分な挿抜力を確保しつつさらなる低背化を図ることが可能となる。
【図面の簡単な説明】
【００１８】
【図１】図１は、プラグコネクタを上方から見た斜視図である。
【図２】図２は、プラグコネクタを下方から見た斜視図である。
【図３】図３は、プラグコネクタを示す上面図である。
【図４】図４は、プラグコネクタを示す底面図である。
【図５】図５は、図３のＶ−Ｖ線断面図である。
【図６】図６は、絶縁ハウジングを上方から見た斜視図である。
【図７】図７は、絶縁ハウジングを下方から見た斜視図である。
【図８】図８は、グランドコンタクト導体を示す斜視図である。
【図９】図９は、グランドコンタクト導体を示す上面図である。
【図１０】図１０は、信号コンタクト導体を上方から見た斜視図である。
【図１１】図１１は、信号コンタクト導体を下方から見た斜視図である。
【図１２】図１２は、プラグコネクタを配線基板に実装する方法を説明するための図である。
【図１３】図１３は、プラグコネクタとリセプタクルコネクタとを接続する方法を説明するための図である。
【図１４】図１４は、プラグコネクタの他の例を上方から見た斜視図である。
【図１５】図１５は、プラグコネクタの他の例を示す上面図である。
【図１６】図１６は、プラグコネクタの他の例を示す底面図である。
【図１７】図１７は、プラグコネクタの他の例を示す底面図である。
【発明を実施するための形態】
【００１９】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２０】
［プラグコネクタ］
プラグコネクタ１は、各種の配線が形成された配線基板ＣＢ１（図１２及び図１３参照）上に実装される同軸コネクタである。プラグコネクタ１は、図１〜図５に示されるように、絶縁性の絶縁ハウジング１００と、２つの導電性のグランドコンタクト導体２００と、導電性の信号コンタクト導体３００とを備える。
【００２１】
プラグコネクタ１は、配線基板ＣＢ２（図１３参照）に実装されたリセプタクルコネクタ２（同図参照）と嵌合及び抜去可能に構成されている。配線基板ＣＢ１，ＣＢ２としては、例えば、リジッド基板、フレキシブルプリント基板、リジッドフレキシブル基板等のプリント基板が挙げられる。本明細書では、プラグコネクタ１及びリセプタクルコネクタ２がそれぞれ配線基板ＣＢ１，ＣＢ２に実装される側を「下」とし、その反対側を「上」とする。
【００２２】
［絶縁ハウジング］
絶縁ハウジング１００は、樹脂等の絶縁性材料を、例えば射出成形することによって形成される。絶縁ハウジング１００は、２つのグランドコンタクト導体２００と信号コンタクト導体３００とを絶縁するように構成されている。絶縁ハウジング１００は、図１〜図７（特に図６及び図７）に示されるように、ベース部１０２と、筒部１０４と、壁部１０６Ａ〜１０６Ｆとを有する。
【００２３】
ベース部１０２は、筒部１０４と、壁部１０６Ａ〜１０６Ｆとを互いに一体的に連結している。ベース部１０２は、上下方向に略直交する方向に拡がる略矩形状の板状体である。ベース部１０２は、一対の主面１０２ａ，１０２ｂを有している。主面１０２ａ（第１の主面）は下方を向いており、プラグコネクタ１が配線基板ＣＢ１に実装されたときに配線基板ＣＢ１と向かい合う側の面である。主面１０２ｂ（第２の主面）は、配線基板ＣＢ１と反対を向く側の面（配線基板ＣＢ１と向かい合わない側の面）であり、上方を向いている。ベース部１０２には、上下方向に延びる貫通孔１０２ｃが設けられている。
【００２４】
ベース部１０２の側縁には、貫通孔１０２ｃを間において一対の切り欠き部１０８Ａ，１０８Ｂが設けられている。切り欠き部１０８Ａ，１０８Ｂは、貫通孔１０２ｃ側に向けて窪んでいる。本明細書では、図６に示すように、主面１０２ｂ面上において貫通孔１０２ｃに対して切り欠き部１０８Ａ側を「右」とし、貫通孔１０２ｃに対して切り欠き部１０８Ｂ側を「左」とする。すなわち、切り欠き部１０８Ａ、貫通孔１０２ｃ及び切り欠き部１０８Ｂは、右側から左側に向けてこの順に一列に並んでいる。
【００２５】
ベース部１０２の主面１０２ｂには、図２、図４及び図７に示されるように、収容溝１１０Ａ〜１１０Ｃ，１１０Ｅ，１１０Ｆが設けられている。収容溝１１０Ａは、貫通孔１０２ｃからベース部１０２の側縁にかけて、上下方向及び左右方向の双方に直交する方向（前後方向）に沿って直線状に延びている。本明細書では、貫通孔１０２ｃに対して収容溝１１０Ａが延びる側を「前」とし、その反対側を「後」とする。収容溝１１０Ａは、信号コンタクト導体３００の端子片３０２（後述する）を収容するための空間として機能する。収容溝１１０Ａの両側壁には、一対の突起１１２が設けられている。一対の突起１１２は、左右方向において、互いに対向している。
【００２６】
収容溝１１０Ｂ，１１０Ｃ，１１０Ｅ，１１０Ｆはそれぞれ、ベース部１０２の四隅に配置されている。収容溝１１０Ｂ，１１０Ｃ，１１０Ｅ，１１０Ｆはそれぞれ、グランドコンタクト導体２００Ａ，２００Ｂの端子部２０８Ａ，２１０Ａ，２０８Ｂ，２１０Ｂ（後述する）のうち対応する端子片を収容するための空間として機能する。
【００２７】
収容溝１１０Ｂ，１１０Ｃは、収容溝１１０Ａを間に置くように位置している。そのため、収容溝１１０Ｂ，１１０Ａ，１１０Ｃは、ベース部１０２の側縁の右側から左側に向けてこの順に一列に並んでいる。収容溝１１０Ｅ，１１０Ｆは、ベース部１０２の側縁のうち収容溝１１０Ｂ，１１０Ｃとは反対側の周縁に配置されている。収容溝１１０Ｅ，１１０Ｆは、左右方向において互いに対向している。収容溝１１０Ｂ、切り欠き部１０８Ａ及び収容溝１１０Ｅは、ベース部１０２の側縁の前側から後側に向けてこの順に一列に並んでいる。収容溝１１０Ｃ、切り欠き部１０８Ｂ及び収容溝１１０Ｆは、ベース部１０２の側縁の前側から後側に向けてこの順に一列に並んでいる。
【００２８】
筒部１０４は、ベース部１０２の主面１０２ｂ側においてベース部１０２から立設されている。すなわち、筒部１０４は、主面１０２ｂから上方に向けて突出している。筒部１０４は、上下方向（図１に記載の軸Ａｘ方向）に延びる筒状体である。すなわち、筒部１０４には、軸Ａｘに沿って延びる貫通孔１０４ａが設けられている。筒部１０４の貫通孔１０４ａは、ベース部１０２の貫通孔１０２ｃと連通している。貫通孔１０２ｃ，１０４ａは、信号コンタクト導体３００の接続片３０４（後述する）を内部に収容可能な収容孔１１４を構成している。
【００２９】
図２、図５及び図７に示されるように、絶縁ハウジング１００には、ベース部１０２から筒部１０４にかけて、嵌合溝１１６が形成されている。嵌合溝１１６は、軸Ａｘ方向に沿って延びている。嵌合溝１１６の開口は、ベース部１０２の主面１０２ａにおいて開放されている。嵌合溝１１６は、前後方向において、収容孔１１４と隣り合うように並んでいる。嵌合溝１１６には、信号コンタクト導体３００の屈曲片３０６（後述する）が挿通される。嵌合溝１１６の大きさは屈曲片３０６よりも小さく設定されており、屈曲片３０６が嵌合溝１１６内に圧入されることで、嵌合溝１１６と屈曲片３０６とが嵌合され、信号コンタクト導体３００が絶縁ハウジング１００に取り付けられる。
【００３０】
壁部１０６Ａ〜１０６Ｆは、ベース部１０２の主面１０２ｂ側においてベース部１０２から立設されている。すなわち、壁部１０６Ａ〜１０６Ｆは、主面１０２ｂから上方に向けて突出している。壁部１０６Ａ〜１０６Ｆはいずれも、軸Ａｘ方向から見て筒部１０４を中心としてその周囲に配置され、筒部１０４とは離間した状態で筒部１０４を取り囲んでいる。壁部１０６Ａ〜１０６Ｆと筒部１０４との間の空間Ｖは、グランドコンタクト導体２００Ａ，２００Ｂの本体部２０２Ａ，２０２Ｂ（後述する）を収容するための空間として機能する。空間Ｖは、軸Ａｘ方向から見て円環状を呈している。
【００３１】
壁部１０６Ａ〜１０６Ｃ，１０６Ｅ，１０６Ｆはそれぞれ、収容溝１１０Ａ〜１１０Ｃ，１１０Ｅ，１１０Ｆの上方に位置している。壁部１０６Ｄは、壁部１０６Ｅ，１０６Ｆの間に位置している。壁部１０６Ｂ，１０６Ａ，１０６Ｃは、右側から左側に向けてこの順に一列に並んでいる。隣り合う壁部１０６Ｂ，１０６Ａの間には、間隙Ｇ１が設けられている。隣り合う壁部１０６Ａ，１０６Ｃの間には、間隙Ｇ２が設けられている。壁部１０６Ｅ，１０６Ｄ，１０６Ｆは、右側から左側に向けてこの順に一列に並んでいる。隣り合う壁部１０６Ｅ，１０６Ｄの間には、間隙Ｇ３が設けられている。隣り合う壁部１０６Ｄ，１０６Ｆの間には、間隙Ｇ４が設けられている。壁部１０６Ｂ、切り欠き部１０８Ａ、壁部１０６Ｅは、前側から後側に向けてこの順に一列に並んでいる。壁部１０６Ｃ、切り欠き部１０８Ｂ、壁部１０６Ｆは、前側から後側に向けてこの順に一列に並んでいる。
【００３２】
壁部１０６Ｂ，１０６Ｃのうち前側の側面にはそれぞれ、被係止部１１８Ａ，１１８Ｂが設けられている。壁部１０６Ｅ，１０６Ｆのうち後側の側面にはそれぞれ、被係止部１１８Ｃ，１１８Ｄが設けられている。被係止部１１８Ａ〜１１８Ｄは、グランドコンタクト導体２００Ａ，２００Ｂの係止部２１４Ａ，２１６Ａ，２１４Ｂ，２１６Ｂ（後述する）が係止可能に構成されている。本実施形態では、被係止部１１８Ａ〜１１８Ｄは凹溝である。当該凹溝は、前後方向において窪んでおり、壁部１０６Ｂ，１０６Ｃ，１０６Ｅ，１０６Ｆの上面からベース部１０２に至るまで上下方向に直線状に延びている。ベース部は、当該凹溝の下端に位置する壁部をなしている。すなわち、当該凹溝の上端は外方に解放されており、当該凹溝の下端はベース部１０２によって閉塞されている。
【００３３】
［グランドコンタクト導体］
２つのグランドコンタクト導体２００は、導電性及び弾性を有する金属板を打ち抜き加工及び曲げ加工することによって形成される。当該金属板の表面には、例えば、ニッケル、銀、金等の金属めっきが施されていてもよい。２つのグランドコンタクト導体２００は、図１及び図３に示されるように、空間Ｖ内に位置するように絶縁ハウジング１００に取り付けられている。２つのグランドコンタクト導体２００は略同一形状であるが、以下では便宜的に、筒部１０４に対して右側に位置するグランドコンタクト導体２００を「グランドコンタクト導体２００Ａ」と呼び、筒部１０４に対して左側に位置するグランドコンタクト導体２００を「グランドコンタクト導体２００Ｂ」と呼ぶ。
【００３４】
グランドコンタクト導体２００Ａは、図１〜図５、図８及び図９に示されるように、本体部２０２Ａと、アーム部２０４Ａ，２０６Ａと、端子部２０８Ａ，２１０Ａとを有する。本体部２０２Ａは、軸Ａｘ方向から見て円弧状に湾曲された板状体である。本実施形態では、本体部２０２Ａの中心角が１８０°よりも小さいので、本体部２０２Ａは劣弧状を呈している。本体部２０２Ａは、グランドコンタクト導体２００Ａが絶縁ハウジング１００に取り付けられた状態で、空間Ｖ内に配置される。
【００３５】
本体部２０２Ａの上端縁２０２Ａ１は、下側から上側に向かうにつれて、軸Ａｘを中心として径方向内側に縮径した後に屈曲して、径方向外側に向けて拡径している。すなわち、上端縁２０２Ａ１は、軸Ａｘを含む仮想平面で切断したときに、略Ｃ字形状を呈する。
【００３６】
本体部２０２Ａには、図２〜図４、図８及び図９に示されるように、ブリッジ２１２Ａが設けられている。ブリッジ２１２Ａは、金属板からグランドコンタクト導体２００Ａを打ち抜き加工及び曲げ加工する際に、リードフレーム（図示せず）のキャリアとグランドコンタクト導体２００Ａとを接続する部分である。ブリッジ２１２Ａは、グランドコンタクト導体２００Ａの加工の最終工程において切断され、キャリアから切り離される。ブリッジ２１２Ａは、本実施形態において、本体部２０２Ａの下端縁２０２Ａ２に接続されている。具体的には、ブリッジ２１２Ａは、下端縁２０２Ａ２から下方に延び、略９０°屈曲した後、外方に向けて延びている。そのため、ブリッジ２１２Ａは、Ｌ字形状を呈している。ブリッジ２１２Ａは、グランドコンタクト導体２００Ａが絶縁ハウジング１００に取り付けられた状態で、切り欠き部１０８Ａ内に配置される。
【００３７】
アーム部２０４Ａは、本体部２０２Ａの周方向における一端（前端）２０２Ａ３から連続して延びる板状体である。アーム部２０４Ａは、本体部２０２Ａの湾曲方向（軸Ａｘの周方向）に交差する方向に本体部２０２Ａに対して屈曲している。アーム部２０４Ａは、本体部２０２Ａ寄りに位置する基端部２０４Ａ１と、基端部２０４Ａ１よりも本体部２０２Ａから離れて位置する先端部２０４Ａ２とを含む。
【００３８】
基端部２０４Ａ１は、本体部２０２Ａの前端２０２Ａ３から前方に向けて直線状に延びている。先端部２０４Ａ２は、基端部２０４Ａ１に対して略９０°屈曲した後、右方に向けて直線状に延びている。すなわち、アーム部２０４Ａは、軸Ａｘ方向から見て全体としてＬ字形状を呈している。
【００３９】
基端部２０４Ａ１は、グランドコンタクト導体２００Ａが絶縁ハウジング１００に取り付けられた状態で、間隙Ｇ１内に配置される。先端部２０４Ａ２は、グランドコンタクト導体２００Ａが絶縁ハウジング１００に取り付けられた状態で、壁部１０６Ｂの周面のうち前面に対向するように配置される。すなわち、アーム部２０４Ａは、壁部１０６Ｂの周面に沿って延びるように屈曲している。
【００４０】
先端部２０４Ａ２には、係止部２１４Ａが設けられている。係止部２１４Ａは、先端部２０４Ａ２の表面側（前方面）に形成された凹溝と、先端部２０４Ａ２の裏面側（後方面）に形成された凸条とで構成されている。係止部２１４Ａは、先端部２０４Ａ２の上端縁２０４Ａ３から先端部２０４Ａ２の下端縁２０４Ａ４側に向けて上下方向に直線状に延びている。グランドコンタクト導体２００Ａが絶縁ハウジング１００に取り付けられた状態で、係止部２１４Ａのうち凸条が被係止部１１８Ａ内に挿通され、係止部２１４Ａが被係止部１１８Ａに係止される。
【００４１】
アーム部２０６Ａは、本体部２０２Ａの周方向における他端（後端）２０２Ａ４から連続して延びる板状体である。アーム部２０６Ａは、本体部２０２Ａの湾曲方向（軸Ａｘの周方向）に交差する方向に本体部２０２Ａに対して屈曲している。アーム部２０６Ａは、本体部２０２Ａ寄りに位置する基端部２０６Ａ１と、基端部２０６Ａ１よりも本体部２０２Ａから離れて位置する先端部２０６Ａ２とを含む。
【００４２】
基端部２０６Ａ１は、本体部２０２Ａの後端２０２Ａ４から後方に向けて直線状に延びている。先端部２０６Ａ２は、基端部２０６Ａ１に対して略９０°屈曲した後、右方に向けて直線状に延びている。すなわち、アーム部２０６Ａは、軸Ａｘ方向から見て全体としてＬ字形状を呈している。
【００４３】
基端部２０６Ａ１は、グランドコンタクト導体２００Ａが絶縁ハウジング１００に取り付けられた状態で、間隙Ｇ３内に配置される。先端部２０６Ａ２は、グランドコンタクト導体２００Ａが絶縁ハウジング１００に取り付けられた状態で、壁部１０６Ｅの周面のうち後面に対向するように配置される。すなわち、アーム部２０６Ａは、壁部１０６Ｅの周面に沿って延びるように屈曲している。
【００４４】
先端部２０６Ａ２には、係止部２１６Ａが設けられている。係止部２１６Ａは、先端部２０６Ａ２の表面側（後方面）に形成された凹溝と、先端部２０６Ａ２の裏面側（前方面）に形成された凸条とで構成されている。係止部２１６Ａは、先端部２０６Ａ２の上端縁２０６Ａ３から先端部２０６Ａ２の下端縁２０６Ａ４側に向けて上下方向に直線状に延びている。グランドコンタクト導体２００Ａが絶縁ハウジング１００に取り付けられた状態で、係止部２１６Ａのうち凸条が被係止部１１８Ｃ内に挿通され、係止部２１６Ａが被係止部１１８Ｃに係止される。
【００４５】
端子部２０８Ａは、先端部２０４Ａ２の下端縁２０４Ａ４から延びる板状体である。端子部２０８Ａは、先端部２０４Ａ２から下方（主面１０２ａ側）に向けて延び、先端部２０４Ａ２に対して略９０°屈曲した後、後方に向けて直線状に延びている。すなわち、端子部２０８Ａは、左右方向から見て全体としてＬ字形状を呈している。
【００４６】
端子部２０８Ａの先端側は、グランドコンタクト導体２００Ａが絶縁ハウジング１００に取り付けられた状態で、収容溝１１０Ｂ内に配置される。すなわち、端子部２０８Ａの先端側は、主面１０２ａと対向し且つ軸Ａｘ方向から見て絶縁ハウジング１００と重なり合っている。
【００４７】
端子部２１０Ａは、先端部２０６Ａ２の下端縁２０６Ａ４から延びる板状体である。端子部２１０Ａは、先端部２０６Ａ２から下方（主面１０２ａ側）に向けて延び、先端部２０６Ａ２に対して略９０°屈曲した後、前方に向けて直線状に延びている。すなわち、端子部２１０Ａは、左右方向から見て全体としてＬ字形状を呈している。
【００４８】
端子部２１０Ａの先端側は、グランドコンタクト導体２００Ａが絶縁ハウジング１００に取り付けられた状態で、収容溝１１０Ｅ内に配置される。すなわち、端子部２１０Ａの先端側は、主面１０２ａと対向し且つ軸Ａｘ方向から見て絶縁ハウジング１００と重なり合っている。
【００４９】
ここで、グランドコンタクト導体２００Ａが絶縁ハウジング１００に取り付けられる前には、端子部２０８Ａ，２１０Ａはそれぞれアーム部２０４Ａ，２０６Ａに対して屈曲していない。すなわち、グランドコンタクト導体２００Ａが絶縁ハウジング１００に取り付けられる前には、端子部２０８Ａと先端部２０４Ａ２とは、平坦な板状を呈しており、同一平面上に位置している。同様に、端子部２１０Ａと先端部２０６Ａ２とは、平坦な板状を呈しており、同一平面上に位置している。この状態で、被係止部１１８Ａに対して上方から下方に向けて係止部２１４Ａの凸条を挿入させつつ、被係止部１１８Ｃに対して上方から下方に向けて係止部２１６Ａの凸条を挿入させることにより、グランドコンタクト導体２００Ａが絶縁ハウジング１００に対して左右方向において位置決めされる。このとき、アーム部２０４Ａ，２０６Ａによって絶縁ハウジング１００の壁部１０６Ｂ，１０６Ｅがそれぞれ保持されるので、グランドコンタクト導体２００Ａが絶縁ハウジング１００に対して前後方向においても位置決めされる。その後、端子部２０８Ａ，２１０Ａがそれぞれ収容溝１１０Ｂ，１１０Ｅ内に位置するようにアーム部２０４Ａ，２０６Ａに対して屈曲される。これにより、グランドコンタクト導体２００Ａが絶縁ハウジング１００に取り付けられる。
【００５０】
グランドコンタクト導体２００Ｂは、図１〜図５、図８及び図９に示されるように、本体部２０２Ｂと、アーム部２０４Ｂ，２０６Ｂと、端子部２０８Ｂ，２１０Ｂとを有する。本体部２０２Ｂは、軸Ａｘ方向から見て円弧状に湾曲された板状体である。本実施形態では、本体部２０２Ｂの中心角が１８０°よりも小さいので、本体部２０２Ｂは劣弧状を呈している。本体部２０２Ｂは、グランドコンタクト導体２００Ｂが絶縁ハウジング１００に取り付けられた状態で、空間Ｖ内に配置される。
【００５１】
本体部２０２Ｂの上端縁２０２Ｂ１は、下側から上側に向かうにつれて、軸Ａｘを中心として径方向内側に縮径した後に屈曲して、径方向外側に向けて拡径している。すなわち、上端縁２０２Ｂ１は、軸Ａｘを含む仮想平面で切断したときに、略Ｃ字形状を呈する。
【００５２】
本体部２０２Ｂには、図２〜図４、図８及び図９に示されるように、ブリッジ２１２Ｂが設けられている。ブリッジ２１２Ｂは、金属板からグランドコンタクト導体２００Ｂを打ち抜き加工及び曲げ加工する際に、リードフレーム（図示せず）のキャリアとグランドコンタクト導体２００Ｂとを接続する部分である。ブリッジ２１２Ｂは、グランドコンタクト導体２００Ｂの加工の最終工程において切断され、キャリアから切り離される。ブリッジ２１２Ｂは、本実施形態において、本体部２０２Ｂの下端縁２０２Ｂ２に接続されている。具体的には、ブリッジ２１２Ｂは、下端縁２０２Ｂ２から下方に延び、略９０°屈曲した後、外方に向けて延びている。そのため、ブリッジ２１２Ｂは、Ｌ字形状を呈している。ブリッジ２１２Ｂは、グランドコンタクト導体２００Ｂが絶縁ハウジング１００に取り付けられた状態で、切り欠き部１０８Ｂ内に配置される。
【００５３】
アーム部２０４Ｂは、本体部２０２Ｂの周方向における一端（前端）２０２Ｂ３から連続して延びる板状体である。アーム部２０４Ｂは、本体部２０２Ｂの湾曲方向（軸Ａｘの周方向）に交差する方向に本体部２０２Ｂに対して屈曲している。アーム部２０４Ｂは、本体部２０２Ｂ寄りに位置する基端部２０４Ｂ１と、基端部２０４Ｂ１よりも本体部２０２Ｂから離れて位置する先端部２０４Ｂ２とを含む。
【００５４】
基端部２０４Ｂ１は、本体部２０２Ｂの前端２０２Ｂ３から前方に向けて直線状に延びている。先端部２０４Ｂ２は、基端部２０４Ｂ１に対して略９０°屈曲した後、左方に向けて直線状に延びている。すなわち、アーム部２０４Ｂは、軸Ａｘ方向から見て全体としてＬ字形状を呈している。
【００５５】
基端部２０４Ｂ１は、グランドコンタクト導体２００Ｂが絶縁ハウジング１００に取り付けられた状態で、間隙Ｇ２内に配置される。先端部２０４Ｂ２は、グランドコンタクト導体２００Ｂが絶縁ハウジング１００に取り付けられた状態で、壁部１０６Ｃの周面のうち前面に対向するように配置される。すなわち、アーム部２０４Ｂは、壁部１０６Ｃの周面に沿って延びるように屈曲している。
【００５６】
先端部２０４Ｂ２には、係止部２１４Ｂが設けられている。係止部２１４Ｂは、先端部２０４Ｂ２の表面側（前方面）に形成された凹溝と、先端部２０４Ｂ２の裏面側（後方面）に形成された凸条とで構成されている。係止部２１４Ｂは、先端部２０４Ｂ２の上端縁２０４Ｂ３から先端部２０４Ｂ２の下端縁２０４Ｂ４側に向けて上下方向に直線状に延びている。グランドコンタクト導体２００Ｂが絶縁ハウジング１００に取り付けられた状態で、係止部２１４Ｂのうち凸条が被係止部１１８Ｂ内に挿通され、係止部２１４Ｂが被係止部１１８Ｂに係止される。
【００５７】
アーム部２０６Ｂは、本体部２０２Ｂの周方向における他端（後端）２０２Ｂ４から連続して延びる板状体である。アーム部２０６Ｂは、本体部２０２Ｂの湾曲方向（軸Ａｘの周方向）に交差する方向に本体部２０２Ｂに対して屈曲している。アーム部２０６Ｂは、本体部２０２Ｂ寄りに位置する基端部２０６Ｂ１と、基端部２０６Ｂ１よりも本体部２０２Ｂから離れて位置する先端部２０６Ｂ２とを含む。
【００５８】
基端部２０６Ｂ１は、本体部２０２Ｂの後端２０２Ｂ４から後方に向けて直線状に延びている。先端部２０６Ｂ２は、基端部２０６Ｂ１に対して略９０°屈曲した後、左方に向けて直線状に延びている。すなわち、アーム部２０６Ｂは、軸Ａｘ方向から見て全体としてＬ字形状を呈している。
【００５９】
基端部２０６Ｂ１は、グランドコンタクト導体２００Ｂが絶縁ハウジング１００に取り付けられた状態で、間隙Ｇ４内に配置される。先端部２０６Ｂ２は、グランドコンタクト導体２００Ｂが絶縁ハウジング１００に取り付けられた状態で、壁部１０６Ｆの周面のうち後面に対向するように配置される。すなわち、アーム部２０６Ｂは、壁部１０６Ｆの周面に沿って延びるように屈曲している。
【００６０】
先端部２０６Ｂ２には、係止部２１６Ｂが設けられている。係止部２１６Ｂは、先端部２０６Ｂ２の表面側（後方面）に形成された凹溝と、先端部２０６Ｂ２の裏面側（前方面）に形成された凸条とで構成されている。係止部２１６Ｂは、先端部２０６Ｂ２の上端縁２０６Ｂ３から先端部２０６Ｂ２の下端縁２０６Ｂ４側に向けて上下方向に直線状に延びている。グランドコンタクト導体２００Ｂが絶縁ハウジング１００に取り付けられた状態で、係止部２１６Ｂのうち凸条が被係止部１１８Ｄ内に挿通され、係止部２１６Ｂが被係止部１１８Ｄに係止される。
【００６１】
端子部２０８Ｂは、先端部２０４Ｂ２の下端縁２０４Ｂ４から延びる板状体である。端子部２０８Ｂは、先端部２０４Ｂ２から下方（主面１０２ａ側）に向けて延び、先端部２０４Ｂ２に対して略９０°屈曲した後、後方に向けて直線状に延びている。すなわち、端子部２０８Ｂは、左右方向から見て全体としてＬ字形状を呈している。
【００６２】
端子部２０８Ｂの先端側は、グランドコンタクト導体２００Ｂが絶縁ハウジング１００に取り付けられた状態で、収容溝１１０Ｃ内に配置される。すなわち、端子部２０８Ｂの先端側は、主面１０２ａと対向し且つ軸Ａｘ方向から見て絶縁ハウジング１００と重なり合っている。
【００６３】
端子部２１０Ｂは、先端部２０６Ｂ２の下端縁２０６Ｂ４から延びる板状体である。端子部２１０Ｂは、先端部２０６Ｂ２から下方（主面１０２ａ側）に向けて延び、先端部２０６Ｂ２に対して略９０°屈曲した後、前方に向けて直線状に延びている。すなわち、端子部２１０Ｂは、左右方向から見て全体としてＬ字形状を呈している。
【００６４】
端子部２１０Ｂの先端側は、グランドコンタクト導体２００Ｂが絶縁ハウジング１００に取り付けられた状態で、収容溝１１０Ｆ内に配置される。すなわち、端子部２１０Ｂの先端側は、主面１０２ａと対向し且つ軸Ａｘ方向から見て絶縁ハウジング１００と重なり合っている。
【００６５】
ここで、グランドコンタクト導体２００Ｂが絶縁ハウジング１００に取り付けられる前には端子部２０８Ｂ，２１０Ｂはそれぞれアーム部２０４Ｂ，２０６Ｂに対して屈曲していない。すなわち、グランドコンタクト導体２００Ｂが絶縁ハウジング１００に取り付けられる前には、端子部２０８Ｂと先端部２０４Ｂ２とは、平坦な板状を呈しており、同一平面上に位置している。同様に、端子部２１０Ｂと先端部２０６Ｂ２とは、平坦な板状を呈しており、同一平面上に位置している。この状態で、被係止部１１８Ｂに対して上方から下方に向けて係止部２１４Ｂの凸条を挿入させつつ、被係止部１１８Ｄに対して上方から下方に向けて係止部２１６Ｂの凸条を挿入させることにより、グランドコンタクト導体２００Ｂが絶縁ハウジング１００に対して左右方向において位置決めされる。このとき、アーム部２０４Ｂ，２０６Ｂによって絶縁ハウジング１００の壁部１０６Ｃ，１０６Ｆがそれぞれ保持されるので、グランドコンタクト導体２００Ｂが絶縁ハウジング１００に対して前後方向においても位置決めされる。その後、端子部２０８Ｂ，２１０Ｂがそれぞれ収容溝１１０Ｃ，１１０Ｆ内に位置するようにアーム部２０４Ｂ，２０６Ｂに対して屈曲される。これにより、グランドコンタクト導体２００Ｂが絶縁ハウジング１００に取り付けられる。
【００６６】
図１及び図３に示されるように、グランドコンタクト導体２００Ａ，２００Ｂが絶縁ハウジング１００に取り付けられた状態で、グランドコンタクト導体２００Ａの本体部２０２Ａと、グランドコンタクト導体２００Ｂの本体部２０２Ｂとは、左右方向において互いに対向しており、全体として筒部１０４を部分的に取り囲む円筒状体を構成するように並んでいる。本体部２０２Ａ，２０２Ｂで構成される円筒状体の中心軸は、軸Ａｘに略一致する。
【００６７】
本体部２０２Ａ，２０２Ｂで構成される円筒状体は、相手方コネクタとなるリセプタクルコネクタ２のグランドコンタクト導体２ｂ（図１３参照）の外側を覆うようにグランドコンタクト導体２ｂと嵌合可能である。なお、本体部２０２Ａ，２０２Ｂで構成される円筒状体は、リセプタクルコネクタ２のグランドコンタクト導体２ｂによって外側から覆われるようにグランドコンタクト導体２ｂと嵌合可能であってもよい。
【００６８】
図３に示されるように、本体部２０２Ａの前端２０２Ａ３と、これに隣り合う本体部２０２Ｂの前端２０２Ｂ３と、軸Ａｘとで構成される仮想の扇形の中心角θ１は、９０°以下であってもよい。同様に、本体部２０２Ａの後端２０２Ａ４と、これに隣り合う本体部２０２Ｂの後端２０２Ｂ４と、軸Ａｘとで構成される仮想の扇形の中心角θ２は、９０°以下であってもよい。この場合、グランドコンタクト導体の数が２つであっても、本体部２０２Ａ，２０２Ｂとリセプタクルコネクタ２のグランドコンタクト導体２ｂとの接触面積が十分に確保される。そのため、少ない部品点数により、十分な挿抜力を確保できる。
【００６９】
［信号コンタクト導体］
信号コンタクト導体３００は、導電性及び弾性を有する金属板を打ち抜き加工及び曲げ加工することによって形成される。当該金属板の表面には、例えば、ニッケル、銀、金等の金属めっきが施されていてもよい。信号コンタクト導体３００は、図１〜図５に示されるように、絶縁ハウジング１００に取り付けられている。信号コンタクト導体３００は、図１〜図５、図１０及び図１１に示されるように、端子片３０２と、一対の接続片３０４と、屈曲片３０６とを有する。
【００７０】
端子片３０２は、矩形状を呈する板部材である。端子片３０２は、基端部（一端部）３０２ａと、中央部３０２ｂと、先端部（他端部）３０２ｃとを含む。基端部３０２ａは、プラグコネクタ１の配線基板ＣＢ１への実装時において、配線基板ＣＢ１の端子電極ＴＥ２（後述する）に接続される。中央部３０２ｂの下面側には、図１１に示されるように、一対の凹溝３０８が設けられている。一対の凹溝３０８には、絶縁ハウジング１００における対応する突起１１２が係止可能である。
【００７１】
一対の接続片３０４は、Ｌ字形状を呈する片持ち状の板部材である。一対の接続片３０４は、先端部３０２ｃに対して立設されている。具体的には、一対の接続片３０４はそれぞれ、先端部３０２ｃの各側縁に一体的に接続されている。一対の接続片３０４は、端子片３０２の左右方向の各側縁から屈曲しつつ、上下方向に沿って延びるように上方に突出している。
【００７２】
一対の接続片３０４は、図１〜図５に示されるように、絶縁ハウジング１００の収容孔１１４内に配置されている。そのため、筒部１０４及びグランドコンタクト導体２００Ａ，２００ｂは共に、軸Ａｘ方向から見て一対の接続片３０４よりも外方に位置している。
【００７３】
一対の接続片３０４は、リセプタクルコネクタ２の信号コンタクト導体２ａ（後述する）と嵌着可能に構成されている。一対の接続片３０４がリセプタクルコネクタ２の信号コンタクト導体２ａと嵌着する際には、一対の接続片３０４が信号コンタクト導体２ａによって外側に押し拡げられ、信号コンタクト導体２ａと弾性的に嵌着する。
【００７４】
屈曲片３０６は、図５、図１０及び図１１に示されるように、Ｌ字形状を呈する片持ち状の板部材である。屈曲片３０６は、端子片３０２の先端側において端子片３０２に立設されている。具体的には、屈曲片３０６は、端子片３０２の先端縁に一体的に接続されている。屈曲片３０６は、端子片３０２の先端縁から屈曲しつつ、上下方向に沿って延びるように上方に突出している。従って、屈曲片３０６が突出する側は、一対の接続片３０４が突出している側と同じである。
【００７５】
信号コンタクト導体３００を絶縁ハウジング１００に取り付ける際には、端子片３０２が絶縁ハウジング１００の収容溝１１０Ａ内に位置するように、端子片３０２を収容溝１１０Ａに下方から圧入する。これにより、一対の凹溝３０８に絶縁ハウジング１００の突起１１２がそれぞれ係止され、端子片３０２が一対の突起１１２によって収容溝１１０Ａ内に固定される。また、屈曲片３０６が絶縁ハウジング１００の嵌合溝１１６内に位置するように、屈曲片３０６を嵌合溝１１６内に下方から圧入する。これにより、屈曲片３０６が嵌合溝１１６内に固定される。
【００７６】
［プラグコネクタの使用方法］
続いて、プラグコネクタ１の使用方法について説明する。まず、図１２に示されるように、プラグコネクタ１と、配線基板ＣＢ１とを用意する。配線基板ＣＢ１には、グランド端子と電気的に接続するためのグランド用導電路（図示せず）と、電気信号を伝達するための信号用導電路（図示せず）と、グランド用導電路と電気的に接続された端子電極ＴＥ１と、信号用導電路と電気的に接続された端子電極ＴＥ２が形成されている。
【００７７】
次に、プラグコネクタ１の各端子部２０８Ａ，２１０Ａ，２０８Ｂ，２１０Ｂを、対応する端子電極ＴＥ１上に載置する。また、プラグコネクタ１の信号コンタクト導体３００のうち端子片３０２の基端部３０２ａを端子電極ＴＥ２上に載置する。次に、各端子部２０８Ａ，２１０Ａ，２０８Ｂ，２１０Ｂと、対応する端子電極ＴＥ１とをはんだ付けにより接合すると共に、端子片３０２の基端部３０２ａと端子電極ＴＥ２とをはんだ付けにより接合する。これにより、プラグコネクタ１が配線基板ＣＢ１に実装される。
【００７８】
次に、図１３に示されるように、配線基板ＣＢ２に実装されたリセプタクルコネクタ２を用意する。リセプタクルコネクタ２は、導電性の金属板で形成された円柱状の信号コンタクト導体２ａと、導電性の金属板で形成された円筒状のグランドコンタクト導体２ｂとを備える。グランドコンタクト導体２ｂは、信号コンタクト導体２ａを取り囲むように配置されている。配線基板ＣＢ２には、配線基板ＣＢ１と同様に、グランド端子と電気的に接続するためのグランド用導電路（図示せず）と、電気信号を伝達するための信号用導電路（図示せず）と、グランド用導電路と電気的に接続された端子電極（図示せず）と、信号用導電路と電気的に接続された端子電極（図示せず）とが形成されている。信号コンタクト導体２ａは、端子電極を介して信号用導電路と電気的に接続されている。グランドコンタクト導体２ｂは、端子電極を介してグランド用導電路と電気的に接続されている。
【００７９】
次に、配線基板ＣＢ１に実装されたプラグコネクタ１と配線基板ＣＢ２に実装されたリセプタクルコネクタ２とを接続する。具体的には、プラグコネクタ１とリセプタクルコネクタ２とが互いに対向するように配置しつつ、両者を互いに近接させる。このとき、信号コンタクト導体２ａが一対の接続片３０４によって挟持されると共に、グランドコンタクト導体２ｂがグランドコンタクト導体２００の本体部２０２Ａ，２０２Ｂと係合される。こうして、一対の接続片３０４が信号コンタクト導体２ａと弾性的に嵌着すると共に、本体部２０２Ａ，２０２Ｂ（上端縁２０２Ａ１，２０２Ｂ１）がグランドコンタクト導体２ｂと弾性的に嵌着する。以上により、プラグコネクタ１の信号コンタクト導体３００とリセプタクルコネクタ２の信号コンタクト導体２ａとが電気的且つ物理的に接続されると共に、プラグコネクタ１のグランドコンタクト導体２００Ａ，２００Ｂとリセプタクルコネクタ２のグランドコンタクト導体２ｂとが電気的且つ物理的に接続され、信号伝送回路が構成される。
【００８０】
ここで、各端子部２０８Ａ，２１０Ａ，２０８Ｂ，２１０Ｂは、対応する端子電極ＴＥ１と接合されている。そのため、本体部２０２Ａ，２０２Ｂがグランドコンタクト導体２ｂと嵌着する際に、アーム部２０４Ａ，２０６Ａ，２０４Ｂ，２０６Ｂのうち先端部２０４Ａ２，２０６Ａ２，２０４Ｂ２，２０６Ｂ２側は、それほど変形しない。一方、アーム部２０４Ａ，２０６Ａ，２０４Ｂ，２０６Ｂのうち基端部２０４Ａ１，２０６Ａ１，２０４Ｂ１，２０６Ｂ１側及び本体部２０２Ａ，２０２Ｂは、配線基板ＣＢ１に固定された端子部２０８Ａ，２１０Ａ，２０８Ｂ，２１０Ｂから離れている。そのため、本体部２０２Ａ，２０２Ｂがグランドコンタクト導体２ｂと嵌着する際に、基端部２０４Ａ１，２０６Ａ１，２０４Ｂ１，２０６Ｂ１側及び本体部２０２Ａ，２０２Ｂが比較的大きく変形可能となり、大きな弾性力が生ずる。
【００８１】
［作用］
以上のような本実施形態では、アーム部２０４Ａ，２０６Ａはそれぞれ、本体部２０２Ａの前端２０２Ａ３及び後端２０２Ａ４から延びると共に、本体部２０２Ａの湾曲方向に対して交差する方向に本体部２０２Ａに対して屈曲している。端子部２０８Ａ，２１０Ａはそれぞれ、先端部２０４Ａ２，２０６Ａ２から主面１０２ａ側に向けて延びている。このように、本実施形態では、端子部２０８Ａ，２１０Ａはそれぞれ、プラグコネクタ１にリセプタクルコネクタ２が嵌合したときに応力が作用しやすい本体部２０２Ａに設けられているのではなく、アーム部２０４Ａ，２０６Ａ（先端部２０４Ａ２，２０６Ａ２）に設けられている。そのため、本体部２０２Ａが端子部２０８Ａ，２１０Ａによって配線基板ＣＢ１に固定されないので、応力が作用したときに本体部２０２Ａ，２０２Ｂの動きが規制され難い。換言すれば、本体部２０２Ａが配線基板ＣＢ１に固定された端子部２０８Ａ，２１０Ａからアーム部２０４Ａ，２０６Ａの長さ分だけ離れているので、アーム部２０４Ａ，２０６Ａがバネとして機能し、本体部２０２Ａが弾性を発揮しやすくなっている。このことは、グランドコンタクト導体２００Ｂでも同様である。従って、本実施形態に係るプラグコネクタ１では、十分な挿抜力が確保される。
【００８２】
本実施形態では、アーム部２０４Ａ，２０６Ａはそれぞれ、本体部２０２Ａの周方向における一端及び他端から延びている。すなわち、アーム部２０４Ａ，２０６Ａは、特許文献１に記載の同軸コネクタ装置とは異なり、軸Ａｘ方向（収容孔１１４の延在方向）において凸となるように湾曲していない。このことは、グランドコンタクト導体２００Ｂでも同様である。そのため、プラグコネクタ１の全高が高くなり難い。従って、本実施形態に係るプラグコネクタ１では、低背化が図られる。以上より、本実施形態に係るプラグコネクタ１によれば、十分な挿抜力を確保しつつさらなる低背化を図ることが可能となる。
【００８３】
本実施形態では、アーム部２０４Ａ，２０６Ａ，２０４Ｂ，２０６Ｂはそれぞれ、その延在方向（前後方向）において屈曲している。そのため、アーム部２０４Ａ，２０６Ａ，２０４Ｂ，２０６Ｂが直線状に前後方向に延びるときと比較して、アーム部２０４Ａ，２０６Ａ，２０４Ｂ，２０６Ｂが絶縁ハウジング１００の外方に拡がるのを防ぎつつ、アーム部２０４Ａ，２０６Ａ，２０４Ｂ，２０６Ｂの長さが確保される。そのため、十分な挿抜力を確保しつつプラグコネクタ１の小型化を図ることが可能となる。
【００８４】
本実施形態では、アーム部２０４Ａ，２０６Ａ，２０４Ｂ，２０６Ｂはそれぞれ、壁部１０６Ｂ，１０６Ｅ，１０６Ｃ，１０６Ｆの周面に沿って延びるように屈曲している。そのため、アーム部２０４Ａ，２０６Ａ，２０４Ｂ，２０６Ｂが直線状に前後方向に延びるときと比較して、アーム部２０４Ａ，２０６Ａ，２０４Ｂ，２０６Ｂが絶縁ハウジング１００の外方に拡がるのをいっそう防ぎつつ、アーム部２０４Ａ，２０６Ａ，２０４Ｂ，２０６Ｂの長さが確保される。そのため、十分な挿抜力を確保しつつプラグコネクタ１のさらなる小型化を図ることが可能となる。
【００８５】
本実施形態では、端子部２０８Ａ，２１０Ａ，２０８Ｂ，２１０Ｂはそれぞれ、軸Ａｘ方向（収容孔１１４の延在方向）から見て絶縁ハウジング１００と重なり合うようにアーム部２０４Ａ，２０６Ａ，２０４Ｂ，２０６Ｂに対して屈曲している。換言すれば、端子部２０８Ａ，２１０Ａ，２０８Ｂ，２１０Ｂはそれぞれ、主面１０２ａと対向している。そのため、端子部２０８Ａ，２１０Ａ，２０８Ｂ，２１０Ｂが絶縁ハウジング１００の外方に拡がらないので、プラグコネクタ１のさらなる小型化を図ることが可能となる。
【００８６】
本実施形態では、壁部１０６Ｂ，１０６Ｅ，１０６Ｃ，１０６Ｆの周面にはそれぞれ、被係止部１１８Ａ〜１１８Ｄが設けられている。アーム部２０４Ａ，２０６Ａ，２０４Ｂ，２０６Ｂ（先端部２０４Ａ２，２０６Ａ２，２０４Ｂ２，２０６Ｂ２）にはそれぞれ、被係止部１１８Ａ〜１１８Ｄのうち対応する一の被係止部と係止可能に構成された係止部２１４Ａ，２１６Ａ，２１４Ｂ，２１６Ｂが設けられていてもよい。そのため、係止部２１４Ａ，２１６Ａ，２１４Ｂ，２１６Ｂがそれぞれ対応する被係止部１１８Ａ〜１１８Ｄに係止されることで、アーム部２０４Ａ，２０６Ａ，２０４Ｂ，２０６Ｂを絶縁ハウジング１００に対して位置決めすることができる。
【００８７】
［他の実施形態］
以上、本開示に係る実施形態について詳細に説明したが、本発明の要旨の範囲内で種々の変形を上記の実施形態に加えてもよい。例えば、上記の実施形態では、本発明をプラグコネクタ１に適用したが、本発明をリセプタクルコネクタ２に適用してもよい。
【００８８】
プラグコネクタ１は、複数のグランドコンタクト導体を備えていてもよい。例えば、図１４〜図１６に示されるように、プラグコネクタ１は、４つのグランドコンタクト導体２００を備えていてもよい。４つのグランドコンタクト導体２００はそれぞれ、壁部１０６Ｂ，１０６Ｃ，１０６Ｅ，１０６Ｆまわりに配置されている。
【００８９】
グランドコンタクト導体２００はそれぞれ、本体部２０２と、アーム部２０４，２０６と、端子部２０８，２１０とを有する。本体部２０２は、本体部２０２の両端部と軸Ａｘとで構成される仮想の扇形の中心角が９０°よりも小さく、劣弧状を呈している。アーム部２０４，２０６はそれぞれ、本体部２０２の両端から延びており、対応する壁部１０６Ｂ，１０６Ｃ，１０６Ｅ，１０６Ｆの周面に沿って延びている。端子部２０８，２１０はそれぞれ、アーム部２０４，２０６の下端縁から延びている。端子部２０８，２１０はそれぞれ、図１６に示されるように、対応する収容溝１１０Ｂ，１１０Ｃ，１１０Ｅ，１１０Ｆ内に配置されている。
【００９０】
図１７に示されるように、端子部２０８Ａ，２１０Ａ，２０８Ｂ，２１０Ｂはそれぞれ、軸Ａｘ方向（収容孔１１４の延在方向）から見て絶縁ハウジング１００と重なり合わないようにアーム部２０４Ａ，２０６Ａ，２０４Ｂ，２０６Ｂに対して屈曲していてもよい。この場合、端子部２０８Ａ，２１０Ａ，２０８Ｂ，２１０Ｂが軸Ａｘ方向から見て絶縁ハウジング１００と重なり合っていないので、軸Ａｘ方向から見たときに端子部２０８Ａ，２１０Ａ，２０８Ｂ，２１０Ｂが絶縁ハウジング１００の外方に拡がる。そのため、プラグコネクタ１を配線基板ＣＢ１に実装する際に、端子部２０８Ａ，２１０Ａ，２０８Ｂ，２１０Ｂを、配線基板ＣＢ１の端子電極ＴＥ１に対して目視にて位置決めしやすくなると共に、はんだ接続状態の検査を行いやすくなる。
【００９１】
アーム部２０４Ａ，２０６Ａ，２０４Ｂ，２０６Ｂはそれぞれ、壁部１０６Ｂ，１０６Ｅ，１０６Ｃ，１０６Ｆの周面に沿って延びていなくてもよい。アーム部２０４Ａ，２０６Ａ，２０４Ｂ，２０６Ｂは、屈曲しておらず直線状に延びていてもよいし、多数回屈曲していてもよい。
【００９２】
中心角θ１，θ２は９０°を超えていてもよい。
【符号の説明】
【００９３】
１…プラグコネクタ、２…リセプタクルコネクタ、２ａ…信号コンタクト導体、２ｂ…グランドコンタクト導体、１００…絶縁ハウジング、１０２ａ…主面（第１の主面）、１０２ｂ…主面（第２の主面）、１０２…ベース部、１０４…筒部、１０６Ａ〜１０６Ｆ…壁部、１１４…収容孔、１１８Ａ〜１１８Ｄ…被係止部、２００，２００Ａ，２００Ｂ…グランドコンタクト導体、２０２Ａ，２０２Ｂ…本体部、２０４Ａ，２０４Ｂ，２０６Ａ，２０６Ｂ…アーム部、２０８Ａ，２０８Ｂ，２１０Ａ，２１０Ｂ…端子部、２１４Ａ，２１４Ｂ，２１６Ａ，２１６Ｂ…係止部、３００…信号コンタクト導体、３０２…端子片、３０４…接続片、３０６…屈曲片、Ａｘ…軸、ＣＢ１，ＣＢ２…配線基板。
【図１】
0006260643.tif 000002
【図２】
0006260643.tif 000003
【図３】
0006260643.tif 000004
【図４】
0006260643.tif 000005
【図５】
0006260643.tif 000006
【図６】
0006260643.tif 000007
【図７】
0006260643.tif 000008
【図８】
0006260643.tif 000009
【図９】
0006260643.tif 000010
【図１０】
0006260643.tif 000011
【図１１】
0006260643.tif 000012
【図１２】
0006260643.tif 000013
【図１３】
0006260643.tif 000014
【図１４】
0006260643.tif 000015
【図１５】
0006260643.tif 000016
【図１６】
0006260643.tif 000017
【図１７】
0006260643.tif 000018